【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】
分散型ネットワークシステムにおけるデータ通信方法であって、
前記分散型ネットワークシステムは、マスメディア用非双方向放送ネットワークである第１の通信リンクと、マスメディア用非双方向放送ネットワーク以外の媒体である第２の通信リンクと、前記第１の通信リンクに接続され、複数の消費者に複数の広告を伝達する複数の電子デバイスと、前記第２の通信リンクに接続され、前記消費者のそれぞれと関連する複数の応答デバイスと、前記第２の通信リンクに接続された情報収集システムを備え、
この方法はステップとして、
前記第１の通信リンクを介して、複数の通知メッセージを前記複数の電子デバイスに送信し、前記複数の通知メッセージは、各々の通知メッセージのための通知メッセージ情報から成り、
第１の通信リンクを介して前記複数の電子デバイスの少なくとも一つ、又は、第２の通信リンクを介して前記複数の応答デバイスの少なくとも一つに質問メッセージを伝達し、前記質問メッセージは少なくとも一つの通知メッセージの通知メッセージ情報の選択された部分に特に関係するデータより成り、
前記複数の電子デバイスの少なくとも一つに、前記応答デバイスを作動させて前記質問メッセージへの応答を提出する、消費者リクエストを示し、
前記第２の通信リンクを介して、前記応答デバイスの少なくとも一台の各々より、前記質問のメッセージへの各々の応答を収集するよう情報収集システムが動作し、
前記各々の応答を調査し、前記各々の応答に、前記通知メッセージ情報から選択された部分に関連する若しくは前記選択された部分に由来するデータが含まれているか否かを確認することにより、前記応答デバイスが、少なくとも前記選択された部分を開示していることを確認する
ことを備え、前記リクエストは、前記通知メッセージを前記消費者が精査するように動機付けるための報酬の情報が含まれているデータ通信方法。
【請求項２】
前記複数の通知メッセージを前記複数の電子デバイスに送信するステップでは、前記マスメディア用非双方向放送ネットワークが、前記通知メッセージを、前記応答デバイスに対して同時に送信することを備える、請求項１の方法。
【請求項３】
前記質問メッセージに対する前記応答を提出する応答デバイスと関連する少なくとも一人の前記消費者に前記報酬を許可するステップを更に備え、
前記報酬の許可は、前記通知メッセージと関連して、前記消費者に提出される前記質問メッセージへの正しい反応の確認を基に、前記通知メッセージの通信の後に続いて一度に供される、請求項１の方法。
【請求項４】
第１の通信リンクを介して前記電子デバイスに助言を通信するステップを更に備え、前記広告は、選択された部分に対する次の通信の事前通知を供する、請求項１の方法。
【請求項５】
前記電子デバイス上にて前記助言を提出することは、前記電子デバイス上にて前記選択された部分を提出することとは独立している、請求項４の方法。
【請求項６】
前記助言は前記電子デバイスを介して第１の時間に提出され、前記選択された部分は前記電子デバイスを介して第２の時間に提出され、前記第１の時間は前記第２の時間と異なる、請求項４の方法。
【請求項７】
前記助言および前記通知メッセージを前記電子デバイスに通信することと、前記電子デバイスを介して前記助言と前記通知メッセージを提出することは、独立している、請求項４の方法。
【請求項８】
前記複数の通知メッセージを前記複数の電子デバイスに送信する事前通知を提供するステップを更に備える、請求項１の方法。
【請求項９】
前記質問メッセージに応答する機会のために消費者を登録するため、前記応答デバイスからの登録情報を収集するステップを更に備える、請求項１の方法。
【請求項１０】
前記登録情報を収集するステップは、プライバシー保護のために、前記消費者の身元確認に関する個人的な消費者情報を、前記消費者の身元確認をしない情報に関する非個人的な消費者情報から分離するステップを備える、請求項９の方法。
【請求項１１】
前記消費者の応答しているものから収集する前記応答に応答して、前記質問メッセージに対する応答を格納するステップを更に備える、請求項１の方法。
【請求項１２】
前記通知メッセージを送信するステップは、
前記通知情報の前記選択された部分を含むビニエットを備える通知メッセージを前記電子デバイスへブロードキャストし、
前記質問メッセージを含む通知メッセージを前記電子デバイスへブロードキャストすることを備え、その結果、前記質問メッセージを送信するステップを実行し、
前記質問メッセージは少なくとも質問から成り、前記質問メッセージに対する各々の応答は、前記質問メッセージの少なくとも一つの質問に対する回答を含む、請求項１の方法。
【請求項１３】
前記通知メッセージを送信するステップは、次にビネットを前記電子デバイスに送る予定がある旨の事前通知与えるための警告を含む通知メッセージをブロードキャストするステップを更に備える、請求項１２の方法。
【請求項１４】
前記通知メッセージを送信するステップは、
前記ビネット、又は、それ以外の前記質問メッセージに答える前記消費者を支援できる情報を含むスニークピークビネットをブロードキャストするステップを更に備え、
前記スネークピークビネットは前記警告より前に送られる、請求項１３の方法。
【請求項１５】
前記消費者が前記質問メッセージに応答できる十分な時間が経過した後に、前記質問メッセージの中の少なくとも１つの質問に対する回答を前記消費者に送るステップを更に備える、請求項１の方法。
【請求項１６】
前記質問メッセージに応答する機会のために前記消費者を登録するステップを更に備える、請求項１の方法。
【請求項１７】
前記報酬の許可は、前記応答の提出からは遅れ、
前記通知メッセージと関連して示される前記質問メッセージの正しい答えの確認に基づく通知メッセージの通信の後に続く時間に供与される、請求項１の方法。
【請求項１８】
前記報酬を許可するステップは、
前記消費者に資格を提供するために、前記消費者より提供された消費者情報を探索するステップと、
前記資格を提供する消費者から勝者をランダムに選択するステップと、
前記勝者の応答デバイスに通知するステップを備える、請求項１７の方法。
【請求項１９】
前記勝者をランダムに選択するステップは、勝者と、前記勝者のうちの１人が前記報酬を受け取れない場合の補欠の勝者を選択するステップを備える、請求項１８の方法。
【請求項２０】
前記勝者の応答デバイスに通知して、前記勝者の消費者情報を検証するステップと、
前記勝者の消費者情報が検証できないと、前記勝者の名前を削除するステップ
とを更に備える、請求項１９の方法。
【請求項２１】
前記電子デバイスに前記通知メッセージを送る事前通知を提供するステップを更に備える、請求項１７の方法。
【請求項２２】
前記通知メッセージを送信するステップは、
選択された部分を含むビネットを備える通知メッセージを、前記電子デバイスへブロードキャストするステップと、
前記質問メッセージを送るステップにより、前記消費者に対する少なくとも１つの質問を含む質問メッセージを備える通知メッセージをブロードキャストするステップと備え、その結果、前記質問メッセージを送るステップが実行され、
前記作動するステップは、前記消費者に前記応答デバイスを作動して、前記質問メッセージからの少なくとも１つの質問に答えることを許可するステップを備える、請求項１の方法。
【請求項２３】
前記質問メッセージの中の各質問は、ビネットに含まれる情報に言及する没頭確認質問、ささいな質問、ポーリング質問、人口統計情報質問、消費者情報質問、消費者趣向質問、購買習慣質問のうちの少なくとも１つを備える、請求項２２の方法。
【請求項２４】
前記ビネットを送る予定である旨の事前通知提供する為の警告を、前記電子デバイスにブロードキャストするステップを更に備える、請求項２２の方法。
【請求項２５】
前記ビネット、又は、それ以外の前記質問メッセージに答える前記消費者を支援できる情報を含むスニークピークビネットをブロードキャストするステップを更に備え、
前記スネークピークビネットは前記警告より前に送られる、請求項２４の方法。
【請求項２６】
前記許可するステップは、
前記消費者が登録された後に、前記消費者が前記応答デバイスを動作して、それぞれの消費者に対して発行される識別情報を入力することを許可するステップと、
前記消費者が正しい前記識別情報を入力した場合は、前記応答デバイスを介して前記消費者に、前記質問メッセージのうちの少なくとも１つの質問に答えさせるステップ
とを備える、請求項２２の方法。
【請求項２７】
前記消費者に前記質問メッセージのうちの少なくとも１つの質問に答えさせるステップは、前記消費者が正しい前記識別情報を入力しない場合は、前記応答デバイスを介して前記消費者に、前記質問メッセージのうちの少なくとも１つの質問に答えさせないステップを更に備える、請求項２６の方法。
【請求項２８】
前記消費者に前記質問メッセージのうちの少なくとも１つの質問に答えさせるステップは、前記消費者が正しい識別情報を入力しなかった場合は、前記応答デバイスを介して前記消費者に、前記質問メッセージのうちの少なくとも１つの質問に答えさせて登録を完了し、識別情報を発行させるステップを更に備える、請求項２６の方法。
【請求項２９】
前記質問メッセージのうちの少なくとも１つの質問に対する回答をブロードキャストするステップを更に備え、前記回答は、前記消費者が前記質問メッセージに応答できる十分な時間が経過した後に１つの前記電子デバイスと前記応答デバイスへ送られる、請求項１の方法。
【請求項３０】
前記放送ネットワークは、マスメイリングを介して前記消費者に前記メッセージを届けるメイルキャリアシステムを備える、請求項１の方法。
【請求項３１】
前記電子デバイスはパーソナル記録デバイス（ＰＲＤ）を備え、
前記放送ネットワークは、前記複数の消費者に関するパーソナル記録デバイスに前記通知メッセージを送るプライベートネットワークを備え、
前記パーソナル記録デバイスは、前記プライベートネットワークから通知メッセージを受け取り、前記消費者に示すように動作する、請求項１の方法。
【請求項３２】
前記収集するステップは、前記通知メッセージを受け取り、データ格納センタに回答を送るパーソナル記録デバイス（ＰＲＤ）を備える応答デバイスの少なくとも１つを介して、前記回答を受信するステップを更に備える、請求項１の方法。
【請求項３３】
広告を配信する為のシステムであって、
複数の消費者を含んでいる多くの視聴者に、複数の広告を伝達するために作動するマスメディア非双方向放送ネットワークであって、前記複数の広告は、各々の広告および少なくとも一つの前記広告の前記広告コンテンツの選択された部分についての質問のための広告コンテンツを含み、前記放送ネットワークは更に、前記質問に応答を提出するインセンティブとしての報酬の申し出を、多くの視聴者へ通信するよう動作する、このマスメディア非双方向放送ネットワークと、
前記広告を受信し、前記消費者に前記広告を提供するために各々動作する複数の電子デバイスと、
前記広告の前記消費者の各々によって、前記マスメディア非双方向放送ネットワーク以外の媒体を介して前記質問に対するそれぞれの応答を通信するよう動作される複数の応答デバイスと、
前記応答デバイスから送られた前記質問に対する各々の応答を収集するように動作する情報収集システムと、
前記情報収集システムによって収集された前記質問に対する前記応答を格納し、前記応答を前記質問に提出するために、少なくとも予め登録される消費者の情報を識別するデータベースシステムとを備え、
前記質問に対する正しい回答を含む各応答を受け取ることによって、応答する消費者は前記広告コンテンツから選択された少なくとも一部に晒されていることが検証され、
前記質問に対して正しい回答であることを確認すると、応答する消費者のうちの少なくとも一人に前記広告を送った後に、前記報酬の許可が提供される、広告提供システム。
【請求項３４】
各々が、前記電子デバイスの少なくとも１つに前記広告を送信する、複数の前記マスメディア用非双方向放送ネットワークを更に備える、請求項３３のシステム。
【請求項３５】
前記放送ネットワークの各々は、前記電子デバイスにて受信する前記広告を一斉同時に送るように動作する、請求項３３、３４のシステム。
【請求項３６】
前記複数の放送ネットワークは、１つ以上のケーブル、衛星、ストリーミングインターネット、プライベートネットワークを備える、請求項３３〜３５のシステム。
【請求項３７】
前記放送ネットワークは、前記広告を通信する少なくとも１つの送信部と、前記消費者に提供するための前記広告を受信する複数の受信部を備え、前記放送ネットワークは、前記電子デバイスに前記広告を同時に送るように動作する、請求項３３〜３６のシステム。
【請求項３８】
前記応答デバイスを介して各応答が返された後に前記報酬の許可が発生し、前記質問に対する正しい応答の確認に基づいて前記電子デバイスを介して前記広告を送った後に続く時間に、前記報酬の許可は提供される、請求項３３のシステム。
【請求項３９】
前記広告は、前記選択された部分の次の通信の予告を供する助言を更に含む、請求項３３のシステム。
【請求項４０】
前記電子デバイスを介して前記助言を提供することは、前記電子デバイスを介して前記選択された部分を提供することから独立している、請求項３９のシステム。
【請求項４１】
前記助言は第１の時間に前記電子デバイスを介して示され、前記選択された部分は第２の時間に前記電子デバイスを介して示され、前記第１の時間は前記第２の時間とは異なる、請求項３９のシステム。
【請求項４２】
前記電子デバイスに前記助言と前記選択された部分を送信することは、前記電子デバイスを介して前記助言と前記選択された部分を示すことは独立している、請求項３９のシステム。
【請求項４３】
各消費者にはユニークな識別子が割り当てられ、各応答は、応答する消費者のユニークな識別子を更に備える、請求項３３のシステム。
【請求項４４】
前記データベースは、前記広告に対する応答を返すために、少なくとも前もって登録された消費者の身元確認情報を格納するように動作し、格納された質問に対する前記応答を、前記ユニークな識別子に基づいて前記登録された消費者の身元確認情報に対応させることができる、請求項４３のシステム。
【請求項４５】
前記複数の広告は、
前記広告コンテンツから選択された部分を含むビネットと、
前記質問と、
前記ビネットの次の通信の予告を供する警告
を備える、請求項３３のシステム。
【請求項４６】
前記複数の広告は、前記警告を示す前に前記複数の広告の少なくとも一部分を送るためのスニークピークビネットを更に備え、前記スニークピークビネットは、前記消費者が前記質問に対して正しい応答ができるように支援する、請求項４５のシステム。
【請求項４７】
前記電子デバイスを介して前記質問を示すことは、前記電子デバイスを介して前記ビネットを示すことは独立している、請求項４５のシステム。
【請求項４８】
前記警告を送ることは、前記ビネットを送ることから独立しており、前記電子デバイスを介して前記ビネットを提供することは、前記電子デバイスを介して前記警告を提供してから所定時間経過後に行われる、請求項４７のシステム。
【請求項４９】
前記複数の広告は、前記質問の中の少なくとも１つの質問に対する回答を更に備え、前記消費者が前記質問に応答することができる十分な時間の経過後に、前記回答は提供される、請求項４５のシステム。
【請求項５０】
前記マスメディア用非双方向放送ネットワークは、分散型ネットワークシステムを介して多くの視聴者に前記複数の広告を同時に送るように動作し、
当該システムは、
前記広告のうちの少なくとも１つの広告コンテンツから選択された部分に関する質問を送るための質問通信媒体と、
前記質問に対する応答を返す動機付けとして価値のある報酬の申し出を送るための報酬通信媒体とを更に備え、
前記報酬の許可は、前記問い合わせに対して正しい応答がなされたことの確認に基づくものであって、前記報酬の許可は、前記応答デバイスによって前記応答を返すことよりも後の時間であって、前記電子デバイスに前記広告を送った後に提供される、請求項３３のシステム。
【請求項５１】
前記広告は、前記分散型コンピュータネットワークによって送られる電子メールのメッセージを介して前記電子デバイスに送られる、請求項５０のシステム。
【請求項５２】
前記広告を前記視聴者に送る予定がある旨の事前通知を前記電子デバイスに提供する警告を送るための警告通信媒体を更に備える、請求項５０のシステム。
【請求項５３】
前記警告は、前記分散型コンピュータネットワークによって送られる電子メールのメッセージを介して前記電子デバイスに送られる、請求項５２のシステム。
【請求項５４】
前記広告は、前記分散型コンピュータネットワークによって送られるストリーミング型マルチメディアコンテンツとして、前記電子デバイスとの通信のために利用可能である、請求項５０のシステム。
【請求項５５】
前記応答デバイスのうちの少なくとも１つは、前記情報収集システムに接続され、前記応答は電子メールのメッセージとして、前記応答デバイスの少なくとも１つから前記情報収集システムへ送られる、請求項５０のシステム。
【請求項５６】
前記情報収集システムはインターネットを備え、前記応答デバイスの少なくとも１つからの応答を含む電子メールのメッセージを受け取るように動作する、請求項５５のシステム。
【請求項５７】
前記情報収集システムはプライベートネットワークを備え、前記応答デバイスは、前記プライベートネットワークに接続されたパーソナル記録デバイス（ＰＲＤ）を備える、請求項５５のシステム。
【請求項５８】
前記情報収集システムによって収集された応答を受け取ると、前記質問に対する応答を格納するデータベースを更に備え、
前記データベースは、前記質問に対する応答を返すために前もって登録された少なくとも消費者の身元確認情報を格納するように更に動作し、前記身元確認情報は、前記質問に対する応答と前記応答を返すために登録された消費者を対応させるために役に立つ、請求項５０のシステム。
【請求項５９】
前記報酬の許可は、前記応答デバイスによって各応答を返すことよりも遅く、前記質問に対する正しい応答の確認に基づいて前記電子答デバイスに前記広告を送った後に続く時間に提供される、請求項５０のシステム。
【請求項６０】
前記広告の次の通信の予告を提供する助言を伝達するよう動作する警告通信媒体を更に備え、
前記助言の提供は、前記広告コンテンツから選択された部分の提供からは独立している、請求項５０のシステム。
【請求項６１】
前記広告の次の通信の予告を提供する助言を伝達するよう動作する警告通信媒体を更に備え、
前記助言は、第１の時間に前記電子デバイスを介して提供され、前記広告コンテンツから選択された部分は第２の時間に前記電子デバイスを介して提供され、前記第１の時間は前記第２の時間とは異なる、請求項５０のシステム。
【請求項６２】
前記広告の次の通信の予告を提供する助言を伝達するよう動作する警告通信媒体を更に備え、
前記助言と前記広告コンテンツから選択された部分を前記電子デバイスに送ることは、前記助言と前記広告コンテンツから選択された部分を前記電子デバイスにて示すことから独立している、請求項５０のシステム。
【請求項６３】
前記複数の広告は、
前記広告コンテンツから選択された部分を含むビネットと、
前記質問と、
前記消費者に前記ビネットを提示する旨の通知を提供するための警告を備える、請求項５０のシステム。
【請求項６４】
前記複数の広告は、前記警告を与える前に前記広告コンテンツの少なくとも一部分を送信するためのスニークピークビネットを更に備え、前記スニークピークビネットは、前記消費者が前記質問に対して正しい応答ができるように支援することに役立つ、請求項６３のシステム。
【請求項６５】
前記電子デバイスを介して前記質問を提供することは、前記電子デバイスを介して前記ビネットを提供することから独立している、請求項６３のシステム。
【請求項６６】
前記警告を送ることは前記ビネットを送ることから独立しており、前記電子デバイスを介して前記ビネットを提供することは前記電子デバイスを介して前記警告を提供してから所定時間経過後に行われる、請求項６３のシステム。